(57)【要約】【課題】  １つの支持具で大引間の第１の断熱材と、大引の真下である下部および隣接する下部の間である中間部に第２の断熱材とを支持できる断熱材の支持具を提供する。【解決手段】  大引の側面に隣接または下面に当接する垂直部５と、垂直部５の下端に接続される略水平面を有する水平部７と、からなり、水平部７の上面および大引の間の高さ方向の厚みは、大引の真下に位置する下部および隣接する２つの下部間である中間部からなる断熱材の高さ方向の厚み以上であることを特徴とする断熱材の支持具４。【選択図】図１Ｂ
2014077332.tif 000002
【特許請求の範囲】
【請求項１】
大引の側面に隣接または下面に当接する垂直部と、前記垂直部の下端に接続される略水平面を有する水平部と、からなり、前記水平部の上面および前記大引の間の高さ方向の厚みは、前記大引の真下に位置する下部および隣接する２つの下部間である中間部からなる断熱材の高さ方向の厚み以上であることを特徴とする断熱材の支持具。
【請求項２】
前記垂直部は、前記大引の側面に隣接し、前記垂直部の上端から該上端の一方側に略水平方向に延在し、前記大引の上面に固定される係止部を更に有することを特徴とする請求項１に記載の断熱材の支持具。
【請求項３】
前記垂直部は、前記大引の側面に隣接し、前記垂直部が前記大引の側面に固定されることを特徴とする請求項１に記載の断熱材の支持具。
【請求項４】
前記垂直部は、前記大引の下面に当接し、前記垂直部の当接部が前記大引に固定されることを特徴とする請求項１に記載の断熱材の支持具。
【請求項５】
前記垂直部は、前記水平部の略中央部に接続され、前記水平部の前記垂直部を中心とした両側にそれぞれ別の断熱材を支持することを特徴とする請求項１〜４に記載の断熱材の支持具。
【発明の詳細な説明】
【技術分野】
【０００１】  本発明は、断熱材を保持する支持具に関する。
【背景技術】
【０００２】  特許文献１には、取付け金具を用いて大引間にグラスウールやロックウールなどの断熱材を保持する構造が開示されている。特に特許文献１の金具は金属製の平板が直角に屈曲された断面略Ｌ字状をなし、側面に断熱材受バーを設け、グラスウールやロックウールなどの柔らかい断熱材を用いる場合であっても、断熱材の中央部が撓むのを抑制している。【０００３】  特許文献２には、大引の上面に取付け金具を載せるための第一板状部と、大引の側面に沿うように形成された第二板状部と、第二板状部の下端側に接続される大引の側方に配される断熱材の下面を載せるための第三板状部とを折り曲げ加工を施すことにより連続的に形成した取付け金具が提案されている。特に、第三板状部の幅方向の端部の少なくとも一方が下向きに折り曲げられることによって突き当て部が形成され、第三板状部に下向きの荷重がかかった際に突き当て部の第二板状部側端部が大引の側面に突き当たる構成が開示されている。
【先行技術文献】
【特許文献】
【０００４】
【特許文献１】  特開２０１１−０７４６６４号公報
【特許文献２】  特開２００９−１０２８９１号公報
【発明の概要】
【発明が解決しようとする課題】
【０００５】  特許文献１および２の何れも大引間に断熱材を保持する構造になっている。ここで、大引は木材からなるため断熱材よりも断熱性能に劣り、大引自体が熱橋となり断熱効果が落ちる。【０００６】  これを解消するため、大引間の第１の断熱材の他に、大引の真下である下部および隣接する下部の間である中間部に第２の断熱材を配置することが考えられる。この場合、第１の断熱材を支持する支持具の他に第２の断熱材を支持する支持具が別途必要となる。これは、床断熱の施工時の手間が大きくなることや、支持具の点数が多くなることからのコストアップが懸念される。【０００７】  そこで、本発明は、１つの支持具で大引間の第１の断熱材と、大引の真下である下部および隣接する下部の間である中間部に第２の断熱材とを支持できる断熱材の支持具を提供することを目的とする。
【課題を解決するための手段】
【０００８】  上記課題を解決するため本発明に係る断熱材の支持具は、大引の側面に隣接または下面に当接する垂直部と、垂直部の下端に接続される略水平面を有する水平部と、からなり、水平部の上面および大引の間の高さ方向の厚みは、大引の真下に位置する下部および隣接する２つの下部間である中間部からなる断熱材の高さ方向の厚み以上であることを特徴とする。【０００９】  上記支持具によると、垂直部は、大引間に配置される断熱材の下面よりも下側に伸びている。より詳細には、大引の真下に位置する下部および隣接する２つの下部間である中間部からなる断熱材の高さ方向の厚み以上大引の下面よりも下側に伸びている。すなわち、垂直部に接続される水平部が大引の真下に位置する下部および隣接する２つの下部間である中間部からなる断熱材を大引の真下に支持できる高さに位置するため、大引の真下に位置する下部および隣接する２つの下部間である中間部からなる断熱材の上に大引間に配置される断熱材を支持することができる。【００１０】  上記支持具において、垂直部は、大引の側面に隣接し、垂直部の上端から該上端の一方側に略水平方向に延在し、大引の上面に固定される係止部を更に有してもよい。【００１１】  上記支持具によると、係止部が大引の上面に固定されるため、支持具が断熱材を支持したときの断熱材の重量を大引の上面に負担させることができる。【００１２】  上記支持具において、垂直部は、大引の側面に隣接し、垂直部が前記大引の側面に固定されてもよい。【００１３】  上記支持具によると、垂直部が直接大引の側面に固定されるため、支持具全体の大きさを小さくすることができ材料費を抑えることができる。【００１４】  上記支持具において、垂直部は、大引の下面に当接し、垂直部の当接部が大引に固定されてもよい。【００１５】  上記支持具によると、垂直部は、大引きの下面に固定されるため、垂直部の大きさを小さくすることができる。【００１６】  上記支持具において、垂直部は、水平部の略中央部に接続され、水平部の垂直部を中心とした両側にそれぞれ別の断熱材を支持してもよい。【００１７】  上記支持具によると、１つの支持具において支持できる断熱材の数が２つになるため、支持具の数を半分とすることができる。
【発明の効果】
【００１８】本発明によると、１つの支持具で大引間の第１の断熱材と、大引の真下である下部および隣接する下部の間である中間部に第２の断熱材とを支持できる断熱材の支持具を提供することができる。
【図面の簡単な説明】
【００１９】
【図１Ａ】第１実施例に係る支持具が使用された床の断熱構造を示す縦断面図である。
【図１Ｂ】第１実施例に係る支持具の斜視図である。
【図２Ａ】第２実施例に係る支持具が使用された床の断熱構造を示す縦断面図である。
【図２Ｂ】第２実施例に係る支持具の斜視図である。
【図３Ａ】第３実施例に係る支持具が使用された床の断熱構造を示す縦断面図である。
【図３Ｂ】第３実施例に係る支持具の斜視図である。
【発明を実施するための形態】
【００２０】  図１Ａを参照して本発明における第１実施例に係る断熱材の支持具が使用された床の断熱構造を説明する。隣接する大引１、１にそれぞれ固定された支持具４、４に第１の断熱材３が支持されている。第２の断熱材２が第１の断熱材３によって、第１の断熱材３の上に重なった状態で保持されている。ここで、第１断熱材３は、大引１の真下に位置する下部および隣接する２つの下部間である中間部からなる。そして、該下部および中間部は、連続した１つの断熱材として配置されている。
【００２１】  次に図１Ｂを参照して支持具４を詳細に説明する。支持具４は、大引１の側面に当接する垂直部５と、垂直部５の上端から該上端の一方側に略水平方向に延在し、大引１の上面に固定される係止部６と、係止部６の延在方向と同方向に延在し、垂直部５の下端に長手方向略中央部が接続されている水平部７と、からなる。係止部６にはビス穴６ａが形成され、ビス穴６ａにビスなどの部材が挿入されることによって、支持具４が大引１に固定される。水平部７の片側の上面で第１の断熱材３の側縁部下面を支持している。この第１実施例にあっては、第１の断熱材３の一方の側縁部が一方の大引１の下部全体に配置され、他方の側縁部は他方の大引１の下部には配置されない。また、図示しないが、実際の施工法としては、隣接する第１断熱材３の側縁部が水平部７の他側の上面によって支持されている。
【００２２】  図２Ａを参照して本発明における第２実施例に係る支持具が使用された床の断熱構造を説明する。第２実施例は、第１実施例と同様に、第２の断熱材２は、第１の断熱材３の上に重なった状態で保持されている。第１実施例との差異は、第１の断熱材３が支持具８によって支持されている点である。
【００２３】  図２Ｂを参照して支持具８を詳細に説明する。支持具８は、大引１の側面に当接し大引１の側面に固定される垂直部９と、垂直部９の下端から該下端の両方向略水平方向に延在し、一端が大引１の真下の方向に延在し多端が該大引１の真下とは逆方向に延在する水平部１０と、からなる。垂直部９にはビス穴９ａが形成され、ビス穴９ａにビスなどの部材が挿入されることによって、支持具８が大引１に固定される。水平部１０の片側の上面で第１の断熱材３の側縁部下面を支持している。この実施例も第１実施例と同様に、第１の断熱材３は隣接する大引１、１の一方の下部のみに配置される。また、図示しないが、実際の施工法としては、隣接する第１断熱材３の側縁部が水平部１０の他側の上面によって支持されている。
【００２４】  図３Ａを参照して本発明における第３実施例に係る支持具が使用された床の断熱構造を説明する。第３実施例は、第１実施例と同様に、第２の断熱材２は、第１の断熱材３の上に重なった状態で保持されている。第１実施例との差異は、第１の断熱材３は支持具１１によって支持されている点である。
【００２５】  図３Ｂを参照して支持具１１を詳細に説明する。支持具８は、大引１の側面に当接し大引１の側面に固定される垂直部９と、垂直部９の下端から該下端の両方向略水平方向に延在し、一端が大引１の真下の方向に延在し多端が該大引１の真下とは逆方向に延在する水平部１０と、からなる。支持具１１は、水平部１２と、該水平部１２の長手方向略中央部から上方に向かって大引１の下に固定される固定部１３と、からなる。固定部１３は、釘、螺子、圧着などによって支持具１１を大引１に固定する。水平部１２の上面で隣接する２つの第１の断熱材３を保持する。
【００２６】  実施例３にあっては、第１の断熱材３のそれぞれの側縁部が隣接する２つの大引１、１の下部の半分を覆う。大引１、１の下部の残りの半分は隣接する第１の断熱材３が配置されることで断熱されるが、最端の大引１の下部については、第１の断熱材３の一側縁部が大引１全体に配置されるように形成されてもよい。
【産業上の利用可能性】
【００２７】  本発明に係る断熱材の支持具は木造軸組構法などにおいて利用することができる。
【符号の説明】
【００２８】  １…大引、２…第２の断熱材、３…第１の断熱材、４…支持具、５…支持具４の垂直部、６…支持具４の係止部、６ａ…ビス穴、７…支持具４の水平部、８…支持具、９…支持具８の垂直部、９ａ…ビス穴、１０…支持具８の水平部、１１…支持具、１２…支持具１１の水平部、１３…固定部。
【図１Ａ】
2014077332.tif 000003
【図１Ｂ】
2014077332.tif 000004
【図２Ａ】
2014077332.tif 000005
【図２Ｂ】
2014077332.tif 000006
【図３Ａ】
2014077332.tif 000007
【図３Ｂ】
2014077332.tif 000008